(57)【要約】      （修正有）【課題】エキスパンダーとして利用でき、必要に応じて、手の甲と手首を安定的かつ美的に飾る状態に装着するように構成したブレスレットを提供する。【解決手段】シリコンゴムを用いて形成された３以上のリング３を並列状に並べ、隣り合うリング同士を連結部材４を用いて回動可能に連結し、エキスパンダーとして利用できるように形成したブレスレット１であって、該ブレスレット１を手首に通す際に、前記３以上のリング３のうち、一端部のリング３を手首に通さず、手の甲の上に乗せる状態に装着したうえで、該一端部のリング３を引き伸ばして中指に引っ掛け、必要に応じて、手の甲と手首を安定的かつ美的に飾る状態に装着する。【選択図】図１
2015066411.tif 000002
【特許請求の範囲】
【請求項１】
弾性と伸縮性を付与して形成された３以上のリングを並列状に並べ、隣り合うリング同士を連結部材を用いて回動可能に連結し、エキスパンダーとして利用できるように形成したブレスレットであって、必要に応じて、前記３以上のリングの一部を手首に通さず、手首の上面から中指に引っ掛け、手の甲と手首を安定的かつ美的に飾る状態に装着するように構成したことを特徴とするブレスレット。
【発明の詳細な説明】
【技術分野】
【０００１】  本発明は、弾性と伸縮性を付与して形成された３以上のリングからなる、エキスパンダーとして利用できるように構成した手首を飾るブレスレットに関するものである。【０００２】  ３以上のリングからなり、重ね合わせた状態と並列状に並べた状態に変形できるように、連結部材を用いて、回転変位可能に連結した先行技術として、「立体ブレスレット」がある（例えば、特許文献１参照）。
また、弾性を有する素材により形成された指の運動ができるブレスレットに関する先行技術として、「ブレスレット」がある（例えば、特許文献２参照）。
【特許文献１】  特開平１０−９９１０８号公報（請求項１〜４，図１〜９）
【特許文献２】  実開昭６３−２５０１３号公報（請求項１，図１〜３）
【発明の開示】
【発明が解決しようとする課題】
【０００３】  本願発明は、弾性と伸縮性を付与して形成された３以上のリングを並列状に並べ、隣り合うリング同士を連結部材を用いて回動可能に連結して、エキスパンダーとして利用できるようにしたブレスレットを、必要に応じて、手の甲と手首を安定的かつ美的に飾る状態に装着するように構成したブレスレットを提供しようとするものである。
【課題を解決するための手段】
【０００４】  上記課題を解決するため、本発明によるブレスレットは、弾性と伸縮性を付与して形成された３以上のリングを並列状に並べ、隣り合うリング同士を連結部材を用いて回動可能に連結し、エキスパンダーとして利用できるように形成したブレスレットであって、必要に応じて、前記３以上のリングの一部を手首に通さず、手首の上面から中指に引っ掛け、手の甲と手首を安定的かつ美的に飾る状態に装着するように構成する。
【発明の効果】
【０００５】  本発明のブレスレットには、弾性と伸縮性があるので、手首に通す際に、先頭又は後端部のリングを手首に通さずに、手首の上面から中指に引っ掛けることができ、手の甲と手首を安定的かつ美的に飾るブレスレットとして利用できるエキスパンダーを提供できる。【０００６】  上記と併せ、手首に通す際に、先頭又は後端部のリングを手首に通さないで垂れ下がる装飾用リングにしたブレスレットに変形することができ、手の甲と手首を安定的かつ美的に飾り、かつ、垂れ下がる装飾用リングを有するブレスレットとして利用できるエキスパンダーを提供できる。【０００７】  連結部材を用いて連結しているので、連結部材がブレスレットのアクセントとして機能するとともに、各リングが円形を保った状態で重ねられるので、商品として包装、展示する際に見栄えよく包装、展示できる。
【発明を実施するための最良の形態】
【０００８】  弾性と伸縮性を付与して形成されたリングは、例えば、天然ゴム、シリコンゴム、フッ素ゴム、ウレタンゴム、エラストマーなど、リングに弾性と伸縮性を付与できる素材により、回転、移動が自在な状態で手首に装着できる適正なサイズに設計し形成される。
装身具として使用目的の観点からは、リングは練り込みや塗装など任意な方法による着色や模様付けとそれらを任意に組み合わせする実施形態が任意に選択できる。
本発明でのブレスレットの使用目的の一つとしてリフレッシュを図る観点からは、練り込みや含浸など任意な方法により賦香する実施形態が任意に選択できる。
弾性と伸縮性を付与して形成されたリングは、任意なリング面上に任意な突起や凹部が設ける実施形態が任意に選択できる。
また、リング径を各リングごとに変える形態を選択することも任意にできる。
この場合、リングを同心円状に収納できるようにすることができる。【０００９】  隣り合うリング同士を連結部材を用いて回動可能に連結するための連結部材としては、例えば、金属製リングや金属製の管を用いてリング同士が回動するように連結される。
連結部材は、ブレスレットのアクセントになるように形成することができ、任意な形状、形態の連結部材を設ける実施形態を任意に選択することができる。【００１０】  ３以上のリングを並列状に並べてエキスパンダーとして利用できるように形成したブレスレットは、両端部のリングに親指を通して左右に広げることで、胸郭を開いて体幹に負荷を与える効果を伴うエキスパンダーとして利用することができる。
３以上のリングを並列状に並べてエキスパンダーとして利用できるように形成したブレスレットのリングには他のリングと係止可能にできる係止具、例えば、スナップフックやナスカンなどを取り付ける実施形態も任意に選択することができる。
この実施形態を実施する場合には、ブレスレットをネックレスやウエストベルトなどとして利用することができる。【００１１】  本発明によるエキスパンダーとして利用できるように形成したブレスレットは、必要に応じて、リングの一部を手首に挿通しない方法によって、手首に装着するブレスレットの形態を変える構成と装着方法を含ませており、例えば、ブレスレットを手首に通す際に、先頭又は後端部のリングを手首に通さず、手首の上面から中指に引っ掛け、手の甲と手首を飾るリングの位置や形状が手を動かせても変らないように、安定的かつ美的に飾る状態に装着する形態に変えることができる。
なお、中指以外の指に引っ掛ける実施形態や、複数のリングを引っ掛ける実施形態、手首の下面から任意の指に掛ける実施形態、なども任意に選択することができる。【００１２】  上記と併せ、手首に通す際に、先頭又は後端部のリングを手首に通さない場合、隣り合うリング同士を回動可能に連結してあるので、手首を通さなかったリングを垂れ下がる装飾用リングとするブレスレットに変形できる。
【実施例１】
【００１３】    以下図面に基づいて実施例を説明する。（図の縮尺は一定ではない。）
図１は、本発明によるブレスレットの一実施例を示す平面図である。
弾性と伸縮性を付与（２）して形成されたリング（３）として、実施例では、シリコンゴムを用いて径３ｍｍ全周２０ｃｍに形成したリングを３個、並列状に並べ、隣り合うリング同士を連結部材（４）として、ブレスレットのアクセントになるように楕円球状の金具を用いて回動可能（５）に連結している。
上記のようにして、エキスパンダー（６）として利用できるブレスレット（１）が形成されている。
実施例では、リングは任意に選択できる実施形態に基づき顔料練り込みにより赤色に着色（Ａ）され、また、任意に選択できる実施形態に基づきローズマリーの香料が練り込みにより賦香（Ｂ）されている。
また、実施例では、任意に選択できる実施形態に基づき他のリングに係止可能な係止具（Ｃ）としてのナスカンが右端のリングに取り付けられている。
上記の、他のリングに係止可能な係止具（Ｃ）を用いて、リングの端部同士を係止した場合、ネックレスやウエストベルトとして利用することができる。【００１４】  上記の、エキスパンダーとして利用できるブレスレットは、両端部のリングに親指を通して左右に広げることで、リングに付与された弾性と伸縮性の作用により、胸郭を開いて体幹に負荷を与える効果を伴うエキスパンダーとして利用することができる。
【実施例２】
【００１５】    以下図面に基づいて実施例を説明する。（図の縮尺は一定ではない。）
図２は、本発明によるブレスレットの使用状態の一実施例を示す斜視図である。
実施例では、太さ３ｍｍのシリコンゴムで全周２０ｃｍに形成された３個のリングを、連結部材（４）を用いて回動可能（５）に連結したブレスレット（１）を使用している。
上記３個のリングのうち、先頭側の２個のリングを手首に挿通し、後端部の１個のリングは手の甲の上に乗せる状態に装着したうえで、該手の甲の上に乗せる状態に装着したリングを引き伸ばして中指に引っ掛けて、手の甲と手首を安定的かつ美的に飾る状態に装着している。
上記のように、本願のエキスパンダーとして利用できるブレスレットは、必要に応じて、手の甲と手首を安定的かつ美的に飾る状態に装着するように構成している。
【図面の簡単な説明】
【００１６】
【図１】本発明によるブレスレットの一実施例を示す平面図である。
【図２】本発明によるブレスレットの使用状態の一実施例を示す斜視図である。
【符号の説明】
【００１７】    １  ブレスレット
２  弾性と伸縮性を付与
３  リング
４  連結部材
５  回動可能
６  エキスパンダー
Ａ  着色
Ｂ  賦香
Ｃ  他のリングに係止可能な係止具
【図１】
2015066411.tif 000003
【図２】
2015066411.tif 000004
【手続補正書】
【提出日】平成25年12月6日(2013.12.6)
【手続補正１】
【補正対象書類名】特許請求の範囲
【補正対象項目名】請求項１
【補正方法】変更
【補正の内容】
【請求項１】
弾性と伸縮性を付与して形成された３以上のリングを並列状に並べ、隣り合うリング同士を連結部材を用いて回動可能に連結し、エキスパンダーとして利用できるように形成したブレスレットであって、該ブレスレットを手首に通す際に、必要に応じて、前記３以上のリングの一部を手首に通さず、手首の上面から中指に引っ掛け、手の甲と手首を安定的かつ美的に飾る状態に装着するように構成したことを特徴とするブレスレット。
【手続補正２】
【補正対象書類名】明細書
【補正対象項目名】０００４
【補正方法】変更
【補正の内容】
【０００４】  上記課題を解決するため、本発明によるブレスレットは、弾性と伸縮性を付与して形成された３以上のリングを並列状に並べ、隣り合うリング同士を連結部材を用いて回動可能に連結し、エキスパンダーとして利用できるように形成したブレスレットであって、該ブレスレットを手首に通す際に、必要に応じて、前記３以上のリングの一部を手首に通さず、手首の上面から中指に引っ掛け、手の甲と手首を安定的かつ美的に飾る状態に装着するように構成する。
【手続補正書】
【提出日】平成26年2月3日(2014.2.3)
【手続補正１】
【補正対象書類名】特許請求の範囲
【補正対象項目名】請求項１
【補正方法】変更
【補正の内容】
【請求項１】
弾性と伸縮性を付与して形成された３以上のリングを並列状に並べ、隣り合うリング同士を連結部材を用いて回動可能に連結し、エキスパンダーとして利用できるように形成したブレスレットであって、該ブレスレットを手首に通す際に、前記３以上のリングのうち、一端部のリングを手首に通さず、手首の上面から中指に引っ掛け、前記一端部のリングを除くリングを手首に挿通する方法により、必要に応じて、手の甲と手首を安定的かつ美的に飾る状態に装着するように構成したことを特徴とするブレスレット。
【手続補正２】
【補正対象書類名】明細書
【補正対象項目名】０００４
【補正方法】変更
【補正の内容】
【０００４】  上記課題を解決するため、本発明によるブレスレットは、弾性と伸縮性を付与して形成された３以上のリングを並列状に並べ、隣り合うリング同士を連結部材を用いて回動可能に連結し、エキスパンダーとして利用できるように形成したブレスレットであって、該ブレスレットを手首に通す際に、前記３以上のリングのうち、一端部のリングを手首に通さず、手首の上面から中指に引っ掛け、前記一端部のリングを除くリングを手首に挿通する方法により、必要に応じて、手の甲と手首を安定的かつ美的に飾る状態に装着するように構成する。